(57)【要約】【課題】ガイド画面を、ユーザにとって使いやすいように修飾することのできる画像処理装置を提供する。【解決手段】ガイド画面上で、タッチセンサによる非テキスト情報の書込みを可能にすると共に、この書込み内容を記憶して、このガイド画面が再び呼び出されたときには、書込み内容と共に表示する。【選択図】図８
2009267500.tif 000002
【特許請求の範囲】
【請求項１】
画像データの原稿からの取得、印刷、又は送受信を実行可能な画像処理装置であって、
操作手順をユーザに説明するガイド画面を表示可能な表示パネルと、
ユーザの接触を検知するタッチセンサと、
上記ガイド画面が表示されているときに上記タッチセンサを介して描画されたメモを記憶可能な記憶部と、
上記表示パネルの表示が他の画面に一旦切り換えられた後、ユーザが書き込みを行った上記ガイド画面を再度表示するときに、上記メモを同時に表示させることができる表示制御部と、
を備える画像処理装置。
【請求項２】
上記記憶部は、各メモに対応する表示属性を記憶し、
上記表示制御部は、各メモの表示を、上記表示属性に沿って制御するようになっている、
請求項１に記載の画像処理装置。
【請求項３】
上記表示属性には、上記ガイド画面の表示開始時に上記メモを表示するか否かのメモ表示初期値が含まれる、
請求項２に記載の画像処理装置。
【請求項４】
上記表示属性には、上記ガイド画面上に、上記メモの表示／非表示を切り替える切替キーを表示すると共に、上記切替キーが押下されたときに上記メモの表示／非表示を切り換える手動切替属性が含まれる、
請求項２又は３に記載の画像処理装置。
【請求項５】
上記表示属性には、上記メモが表示状態にあるときに、所定のタイミングで上記メモを非表示に切り替える自動消去属性が含まれる、
請求項２〜４のいずれか１項に記載の画像処理装置。
【請求項６】
上記所定のタイミングとは、上記メモが表示されてから一定時間が経過したとき、又は、ユーザから何らかの操作を受けたときである、
請求項５に記載の画像処理装置。
【請求項７】
上記表示属性には、上記メモが非表示状態にある場合、上記メモが非表示状態となってなら一定時間が経過したときに上記メモを表示する、自動表示属性が含まれる、
請求項２〜６のいずれか１項に記載の画像処理装置。
【請求項８】
上記ガイド画面は、エラー発生時にユーザが行うべき操作の手順を表示する画面である、
請求項１〜７のいずれか１項に記載の画像処理装置。
【発明の詳細な説明】
【技術分野】
【０００１】
本発明は、画像データの取得や印刷、送信等を実行可能な画像処理装置に関する。
【背景技術】
【０００２】
従来、画像処理装置においては、ユーザに対して装置の現状を提示したり、操作手順を示したりするために、種々の画面が表示されるようになっている。
【０００３】
例えば特許文献１には、ユーザの操作によってガイダンス画面を作成可能な画像処理装置が記載されている。
【特許文献１】特開２００７−５７８０１号公報（２００７年３月８日公開）
【発明の開示】
【発明が解決しようとする課題】
【０００４】
しかし、従来の技術では、テキストデータ以外はガイダンス画面に書き込むことができず、ユーザにとっては操作が複雑になる傾向にあった。
【０００５】
そこで、本発明は、このような従来の課題に鑑み、より簡単な操作によって、ユーザの希望する画面を提示することができる技術を提供することを目的とする。
【課題を解決するための手段】
【０００６】
上記課題を解決するために、請求項１の画像処理装置は、操作手順をユーザに説明するガイド画面を表示可能な表示パネルと、ユーザの接触を検知するタッチセンサと、上記ガイド画面が表示されているときに上記タッチセンサを介して描画されたメモを記憶可能な記憶部と、上記表示パネルの表示が他の画面に一旦切り換えられた後、ユーザが書き込みを行った上記ガイド画面を再度表示するときに、上記メモを同時に表示させることができる表示制御部と、を備える。
【０００７】
この画像処理装置は、タッチセンサを用いてユーザの自由な描画を受け付けることができるので、ユーザにとっては簡便な操作でメモの書き込みを行うことが可能である。
【０００８】
また、請求項２に記載するように、請求項１の画像処理装置において、上記記憶部は、各メモに対応する表示属性を記憶し、上記表示制御部は、各メモの表示を、上記表示属性に沿って制御するようになっていてもよい。
【０００９】
また、請求項３に記載するように、請求項２に記載の画像処理装置において、上記表示属性には、上記ガイド画面の表示開始時に上記メモを表示するか否かのメモ表示初期値が含まれてもよい。
【００１０】
また、請求項４に記載するように、請求項２又は３画像処理装置において、上記表示属性には、上記ガイド画面上に、上記メモの表示／非表示を切り替える切替キーを表示すると共に、上記切替キーが押下されたときに上記メモの表示／非表示を切り換える手動切替属性が含まれてもよい。
【００１１】
また、請求項５に記載するように、請求項２〜４のいずれか１項の画像処理装置において、上記表示属性には、上記メモが表示状態にあるときに、所定のタイミングで上記メモを非表示に切り替える自動消去属性が含まれてもよい。
【００１２】
また、請求項６に記載するように、請求項５の画像処理装置において、所定のタイミングとは、上記メモが表示されてから一定時間が経過したとき、又は、ユーザから何らかの操作を受けたときとすることができる。
【００１３】
また、請求項７に記載するように、請求項２〜６のいずれかの画像処理装置において、上記表示属性には、上記メモが非表示状態にある場合、上記メモが非表示状態となってなら一定時間が経過したときに上記メモを表示する、自動表示属性が含まれてもよい。
【００１４】
また、請求項８に記載するように、請求項１〜７のいずれかの画像処理装置であって、上記ガイド画面は、エラー発生時にユーザが行うべき操作の手順を表示する画面でってもよい。
【発明の効果】
【００１５】
本発明の画像処理装置は、タッチセンサを用いてユーザの自由な描画を受け付けることができるので、ユーザにとっては簡便な操作でメモの書き込みを行うことが可能である。
【発明を実施するための最良の形態】
【００１６】
〔１〕第１実施形態
本発明の実施の一形態として、複合機１を例に挙げて以下に説明する。
【００１７】
（1-1）複合機１の概略構成
図１〜図３を参照して、複合機１の概略構成について説明する。図１は複合機１の外観を示す斜視図であり、図２は複合機１の要部構成を示すブロック図であり、図３は複合機１の一部である操作パネル７の概略を示す平面図である。
【００１８】
図１及び図２に示すように、複合機１は、原稿搬送装置２及び本体部３を備え、本体部３は、画像読取部４、印刷部（画像形成部）５、用紙搬送装置６、操作パネル７、エラー検知部８、ＣＰＵ９１、ＲＯＭ９２、ＲＡＭ９３、記憶装置９４、タイマ１０、及び外部通信部１１等を備える。各部は、バス等によって接続されている。また、本体部３は、手差しトレイ３１及び排紙トレイ３３を側面に備え、用紙束を収容する用紙カセット３２を備える。また、本体部３は、原稿搬送装置２に対向する面に第１プラテンガラス３５及び第２プラテンガラス３６をさらに備える。
【００１９】
原稿搬送装置２は、本体部３の上方に配置され、原稿載置トレイ２１、排紙トレイ２３、原稿載置トレイ２１から原稿を１枚ずつ引き出して排紙トレイ２３へ搬送する原稿搬送部２２等を備える。
【００２０】
画像読取部４は、光源、レンズ、及びミラー等の光学部材、並びにイメージセンサ等を備える。画像読取部４は、第１プラテンガラス３５上に載置された静止原稿から画像を読み取って画像データを得ることもできるし、原稿搬送装置２によって搬送中の原稿が第２プラテンガラス３６上を通過するときに、この原稿から画像データを得ることもできる。
【００２１】
印刷部５は、画像データに基づいて用紙上に画像を形成することができる。具体的には、印刷部５としては、電子写真方式、又はインクジェット方式等の印刷機構を採用することができる。
【００２２】
用紙搬送装置６は、ローラ、ベルト、並びにこれらを駆動するモータ及びギア等を備え、手差しトレイ３１又は用紙カセット３２から印刷部５へ用紙を1枚ずつ供給し、最終的に排紙トレイ３３に排出する。
【００２３】
外部通信部１１は、ファクシミリの送受信及びメール等のデータの送受信を行うことができる。
【００２４】
図２及び図３に示すように、操作パネル７は、液晶表示パネル等の表示パネル７ａ、表示パネル７ａへのユーザの接触を検知するタッチセンサ７ｂ、並びに、リセットキー、クリアキー、ストップキー、スタートキー、及びテンキー等を含むハードキー群７ｃ等を備える。
【００２５】
エラー検知部８は、印刷部５及び用紙搬送装置６による印刷ジョブ、原稿搬送装置２及び画像読取部４によるスキャナジョブ、外部通信部１１によるファクシミリ送信ジョブ等の各種ジョブを実行中に複合機１内で発生したエラーを検知するための機構である。エラー検知部の一例としては、ジャム（紙詰まり）や用紙切れ等を検知可能な各種センサが挙げられる。
【００２６】
ＣＰＵ９１は、複合機１の各部の動作を制御する制御装置として機能する。ＣＰＵ９１は、ＲＯＭ内のプログラムを読み出して実行することで、制御装置としての種々の機能を実現することができる。
【００２７】
ＲＯＭ９２は、ガイド表示プログラム９２ａ、ガイド画面データ９２ｂ、メモ表示プログラム９２ｃ、メモ表示設定プログラム９２ｄ等を格納している。
【００２８】
ガイド画面データ９２ｂは、ユーザに操作の手順を説明するための画面のデータである。ガイド画面とは、ユーザに操作の手順を示す画面である。ここで「操作」とは、操作パネル７を用いる操作に限らず、装置本体のカバーや用紙カセット３２等の開け閉め、各部の清掃、現像剤の補給、用紙の補給、詰まった紙の除去、サービスマンへの連絡等、ユーザが行う種々の動作を含む。
【００２９】
ＣＰＵ９１は、ガイド表示プログラム９２ａに沿って、表示パネル７ａに各ガイド画面を表示させることができる。また、メモ表示プログラム９２ｃは、ガイド画面上にユーザが書き込んだメモを、再びそのガイド画面が呼び出されたときに、そのガイド画面上に表示させるためのプログラムである。また、メモ設定プログラム９２ｄは、メモの書き込みを受け付けたり、メモの表示属性を設定したりするためのプログラムである。
【００３０】
ＲＡＭ９３は、ＣＰＵ９１の作業領域として機能可能である。
【００３１】
記憶装置９４としては、ＨＤＤ等の不揮発性かつ書き込み可能な記憶媒体が、好適に用いられる。
【００３２】
タイマ１０は、時間を測定することができ、後述のメモの自動消去時や、自動表示時に用いられる。
【００３３】
（1-2）ガイド画面表示
ＣＰＵ９１による表示制御について、図４のフローチャートを参照しながら説明する。
【００３４】
ＣＰＵ９１は、ガイド表示プログラム９２ａに基づいて、ガイド画面データ９２ｂから、現在ユーザに提示すべき画面を、表示パネル７ｂに表示させる。ガイド画面はいつ表示されてもよいが、ここでは、エラー発生を検知した場合、特に、用紙搬送部６にてジャムが発生した場合を例に挙げる。ＣＰＵ９１は、エラー検知部８がジャム発生を検知すると、ジャムを解消するために必要な操作手順を示すガイド画面（例えば図７の画面Ｗ１１）を、表示パネル７ａに表示させる。
【００３５】
このとき、表示されるガイド画面にメモの書き込みが可能であれば（ステップＳ１０１でＹｅｓ）、書込スタートキーＫ１０をガイド画面と共に表示する（ステップＳ１０２、図７）。例えば、メモの書き込みを特定の権限を有するユーザにのみ許可するようになっている場合に、このユーザが操作を行っているときは、ＣＰＵ９１は、「書き込み可能」と判断する。また、ガイド画面によって、書き込み可能か否かが設定されていてもよい。
【００３６】
表示すべきガイド画面に関連付けられたメモデータ９４ａが、既に記憶装置９４内に格納されていれば、ＣＰＵ９１は、表示パネル７ａを制御して、ガイド画面上にこのメモデータ９４ａに基づいたメモを表示することができる（ステップＳ１０３でＹｅｓ→ステップＳ１０４）。まだメモが書き込まれていない場合は、ガイド画面のみが表示される（ステップＳ１０３でＮｏ→Ｓ１０５）。
【００３７】
図７に示す書き込みスタートキーＫ１０が押下されると（ステップＳ１０６）、ＣＰＵ９１は書込モードに移行し（ステップＳ１０７）、ユーザはガイド画面に自由に書込みを行うことができる。
【００３８】
他の画面への移行指示をユーザから受け付けると（ステップＳ１０８でＹｅｓ）、このガイド画面の表示は終了し、表示パネル７ａは、他のガイド画面、又はガイド画面以外の画面を表示する。ここで「他の画面への移行指示」とは、他のガイド画面又はガイド画面以外の画面に移行するように、操作パネル７を介して指示が入力されることであってもよいし、エラーが解消されることであってもよい。
【００３９】
（1-3）ガイド画面へのメモの書込み
書込みスタートキーＫ１０が押下されると、メモ設定プログラム９２ｄに基づく制御により、図５のフローに沿った動作が開始される。
【００４０】
図５に示すように、表示パネル７ａは、ガイド画面と併せて、描画用ツールである色設定キーＫ２０及び線種設定キーＫ２１等を表示する（図５のステップＳ２０１、図８の画面Ｗ２０）。この画面Ｗ２０において、色設定キーＫ２０が押下されると、ＣＰＵ９１の制御により、書き込まれる線の色が変更される。また、線種設定キーＫ２１が押下されると、書き込まれる線の種類（実線、点線、鎖線等）及び線の太さ等が変更される。
【００４１】
書込みモード中に、ユーザが指又はタッチペン７２等で表示パネル７ａに触れると、タッチセンサ７ｂはこの接触を検知し、ＣＰＵ９１の制御の下、画面上の接触位置に線が描画される。
【００４２】
こうして、操作パネル７を介して、複合機１は、ガイド画面上で絵や文字等の線をユーザに自由に描かせることができる。そして、この線の色及び線種等について、ユーザの指定を受け付けることができる（図５のステップＳ２０２）。
【００４３】
さらに、ＣＰＵ９１は、ユーザの入力に応じて、表示属性の指定を受け付けることができる（ステップＳ２０３）。具体的には、図８に示すように、描画用ツールには、ＯＫキーＫ２２が含まれており、ＯＫキーＫ２２が押下されると、表示パネル７ａは表示属性の設定を受け付けるための画面Ｗ２１・Ｗ２２を表示する（図９、図１０）。
【００４４】
これらの画面を介して、表示属性が入力されると共に、入力内容を保存するようにとの指示をユーザから受けると、ＣＰＵ９１は、指定内容が確定されたものと判断し、記憶装置９４内にメモデータ（描画された線、線種、色等の情報を含む）９４ａを、書き込みが行われたガイド画面固有の識別番号と関連付けて保存する。また、その表示属性９４ｂも、メモデータ９４ａと関連付けて記憶される（ステップＳ２０４でＹｅｓ→ステップＳ２０５）。一方、キャンセルキーが押下されると、ＣＰＵ９１はメモデータ等を保存せず廃棄する（ステップＳ２０６でＹｅｓ）。
【００４５】
また、ＣＰＵ９１は、メモデータだけでなく、ガイド画面及びメモの両方を含んだ画面全体を、１つの画像（スクリーンショット９４ｃ）として、記憶装置９４に記憶させてもよい。こうすることで、複合機１に接続した外部装置（ＰＣ等）から、メモを含むガイド画面を参照することができる。
【００４６】
（1-4）表示属性の設定
表示属性の設定（ステップＳ２０３）について、図６により詳細なフローを示す。図６及び図９に示すように、表示パネル７ａは、表示属性のうち、手動表示切替属正、自動表示属性、及び自動消去属性の３種の属性を設定するための画面Ｗ２１を表示する。
【００４７】
画面Ｗ２１には、手動表示切替、自動消去、及び自動表示のそれぞれの表示モードのオン／オフ（表示属性の有る／なし）をユーザに選択させる、キーＫ２３〜Ｋ２５が表示される。表示属性の設定は、画面Ｗ２１のＯＫキーＫ２６の押下により確定される。
【００４８】
ＯＫキーＫ２６が押下されたときに、キーＫ２３〜Ｋ２５を介したユーザの指定が、全ての表示属性について「なし」であれば（図６のステップＳ３０２でＹｅｓ）、ＣＰＵ９１は自動的に、メモ表示の初期値を「表示」に設定する（ステップＳ３０３）。自動消去属性のみが「有り」とされた場合も、同様である。これは、メモを表示することが全くできないという状態を避けるためである。
【００４９】
自動表示属性のみ「有り」とされ、他の属性が「なし」とされた場合は（ステップＳ３０４でＹｅｓ）、ＣＰＵ９１は自動的に、メモ表示の初期値を「非表示」に設定する（ステップＳ３０５）。これは、メモの非表示にすることが全くできないという状態を避けるためである。
【００５０】
ステップＳ３０２及びＳ３０４のいずれも「Ｎｏ」である場合、ＯＫキーＫ２６が押下されると、表示パネル７ａは、メモ表示の初期値についての選択画面Ｗ２２を表示する（ステップＳ３０６、図１０）。図１０に示すように、選択画面Ｗ２２は、メモ表示の初期値の選択を受け付けるキーＫ２７と、設定内容の確定を受け付けるＯＫキーＫ２８とを含む。ＣＰＵ９１は、選択画面Ｗ２２におけるユーザの選択に合わせて、メモ表示の初期値を設定することができる（ステップＳ３０７でＹｅｓ→Ｓ３０３、ステップＳ３０７でＮｏ→Ｓ３０５）。
【００５１】
ＯＫキーＫ２８の押下により、上述したように、ＣＰＵ９１は、これまでの入力内容を確定し、メモデータ９４ａ及び表示属性９４ｂを保存する（図５のステップＳ２０５）。
【００５２】
（1-5）メモ表示
図４のガイド画面表示フローのステップＳ１０４におけるメモ表示について、図１１〜図１４のフロー及び図１５〜図１７の画像図、及び図１８のテーブルを参照して、説明する。
【００５３】
まず、図１１に示すように、メモ表示の初期値が「表示」に設定されている場合、表示パネル７ａの表示がガイド画面に切り替えられた直後は、このガイド画面上に、メモデータ９４ａに基づいてメモの画像Ｍが表示される（図１１のステップＳ４０１→Ｓ４０２→Ｓ４０３、図１５の画面Ｗ１２）。ここでは、メモの画像Ｍは、ガイド画面中のソフトキーを指す引き出し線と、このソフトキーの機能を説明する文字とを含む。
【００５４】
一方、メモ表示の初期値が「非表示」である場合は、表示パネル７ａの表示がガイド画面に切り替えられた直後、ガイド画面上にはメモの画像Ｍは表示されない（図１１のステップＳ４０１→Ｓ４０４、図７の画面Ｗ１１）。
【００５５】
この初期表示に加えて、さらに、手動切替属性、自動消去属性、及び自動表示属性のそれぞれの特性に沿った表示制御がなされる。
【００５６】
図１２に、手動切替属性が「有り」の場合の表示フローを示す。手動切替属性が「有り」の場合、メモの画像Ｍが表示されるときには、表示パネル７ａは、非表示切替キーＫ３０をガイド画面上に表示する（ステップＳ５０１→Ｓ５０２、図１６の画面Ｗ１３）。この非表示切替キーＫ３０が押下されると、メモの画像Ｍの表示はオフとされて、非表示状態となる（ステップＳ５０３でＹｅｓ→Ｓ５０４）。
【００５７】
一方、メモが非表示とされるときは、ガイド画面上に表示切替キーＫ３１が表示される（ステップＳ５０１→Ｓ５０５、図１７の画面Ｗ１４）。そして、この表示切替キーＫ３１が押下されると、メモの画像Ｍが表示がオンとなり、表示状態となる（ステップＳ５０６でＹｅｓ→Ｓ５０７）。
【００５８】
図１３に、自動消去属性が「有り」の場合の表示フローを示す。この場合、メモの画像Ｍが表示されている状態で、所定条件を満たせば、メモの画像Ｍが非表示に切り替えられる（ステップＳ６０１→Ｓ６０２→Ｓ６０３）。この「所定条件」とは、メモの画像Ｍが表示されてから一定時間が経過したこと、又は、ユーザが何らかの操作を行ったこと等、適宜設定可能である。
【００５９】
なお、「一定時間が経過」とは、ユーザから何の操作もない状態で一定時間が経過したこと、としてもよいし、ユーザからの操作のあるなしにかかわらず、メモの画像Ｍが表示されてから一定時間が経過したこと、としてもよい。
【００６０】
また、「何らかの操作」とは、非表示切替キーＫ３０の押下、及びガイド画面から他の画面への切替の指示を除く操作であり、例えば、これらの操作以外でユーザが表示パネル７ａに触れたことや、ハードキー群７ｃを押下したこと、とすることができる。
【００６１】
図１４に、自動表示属性が「有り」の場合の表示フローを示す。この場合、メモの画像Ｍが非表示になってから、一定時間が経過すれば、メモの画像Ｍが表示される（ステップＳ７０１→Ｓ７０２→Ｓ７０３）。このときの「一定時間」は、自動消去属性の「一定時間」と同一であってもよいし、異なっていてもよい。また、自動表示属性における「一定時間が経過」も、ユーザから何の操作もない状態で一定時間が経過したこと、としてもよいし、ユーザからの操作のあるなしにかかわらず、メモの画像Ｍが表示されなくなってから一定時間が経過したこと、としてもよい。
【００６２】
これら、各属性に応じた表示制御が組み合わせて実行されることで、図１８のテーブルＴ１に示すような表示の挙動が得られる。テーブルＴ１には、各属性の有り／なし及びメモ表示の初期値の組合せと、メモ表示の挙動とが対応付けて記載されている。
【００６３】
例えば、初期値が「表示」であり、手動切替属性が「有り」、自動消去属性が「有り」であれば、エラーが発生して、表示がガイド画面に切り換えられた直後は、ガイド画面上にメモの画像Ｍが表示され、かつ、非表示切替キーＫ３０が表示される（図１６の画面Ｗ１３）。そして、非表示切替キーＫ３０が押下されるか、自動消去の所定の条件を満たせば、メモ画像Ｍは非表示となり、非表示切替キーＫ３０は表示切替キー３１に置き換えられる（図１７の画面Ｗ１４）。
【００６４】
さらに、自動表示属性が「有り」であれば、表示切替キー３１が押下されなくても、所定時間経過すればメモの画像Ｍが自動的に表示される。このとき、メモ画像Ｍの表示と併せて、表示切替キー３１が非表示切替キーＫ３０に置き換えられる（図１６の画面Ｗ１３）。
【００６５】
なお、メモ表示中も、さらにメモの書込みを受け付けることは可能である。
【００６６】
（1-6）効果
以上のように、複合機１は、ガイド画面へユーザが自由にメモを書き込めるようになっている。つまり、ガイド画面上のソフトキーの使い方が分かりにくかったり、操作上で注意すべき点等があったりすれば、ユーザはソフトキーの使い方や注意事項を、ガイド画面上に書き込むことができる。そして、このように書き込んだ後は、表示が他の画面に切り換わっても、再びそのガイド画面が表示されるときに、書き込んだメモが表示されるので、次回からはスムーズな操作が可能となる。また、文字でなく、操作を忘れがちなキーに印を付す等の簡単な書込みのみであっても、ユーザにとっては視認しやすく、操作ミス等を効果的に防ぐことができる。
【００６７】
また、キーボード等を介して文字を入力するよりも、画面に直接書き込めることで、書き込み内容に自由度が増す。例えば、文字だけでなく、矢印を付したり、丸で囲んだり、といった図の書き込みも可能である。このような非テキストの情報により、ユーザは書き込み内容をより理解しやすくなる。
【００６８】
また、ユーザにとっては、画面に直接書き込む方が手軽であるという利点がある。
【００６９】
また、複合機１では、種々の表示属性により、ユーザの要望に合った表示形態を得ることができる。
【００７０】
〔２〕他の実施形態
タッチセンサは、第１実施形態のようにタッチセンサが表示パネルと重ねられてタッチパネルを構成するだけでなく、表示パネルと分離して設けられていてもよい。この場合であっても、タッチパネル上でのユーザの操作により、メモの書き込みがなされる。
【００７１】
また、第１実施形態で説明した表示制御は、エラー発生時のガイド画面だけでなく、通常の操作中におけるガイド画面にも適用可能である。但し、エラー発生時のガイド画面は、ユーザに見られる機会が通常のガイド画面よりも少ないので、ユーザは操作に戸惑うことが多く、メモの書き込みが要求される頻度が高いと考えられる。
【００７２】
また、書き込まれたメモは、書き込んだユーザのみが参照できるようになっていてもよい。この場合、ユーザが複合機１を使用する前に、ユーザにＩＤ及びパスワードの入力によるログインを要求し、書き込まれたメモをＩＤと対応付けて記憶すると共に、このＩＤと一致するメモをガイド画面上に表示するようになっていればよい。
【図面の簡単な説明】
【００７３】
【図１】本発明の実施形態に係る複合機１の外観を示す斜視図。
【図２】複合機１の要部構成を示すブロック図。
【図３】操作パネル７の概略を示す平面図。
【図４】ガイド画面の表示動作を示すフローチャート。
【図５】図４のステップＳ１０７におけるメモの書込みモードの流れを示すフローチャート。
【図６】図５の表示属性設定受付ステップＳ２０３の詳細を示すフローチャート。
【図７】紙ジャム発生時のガイド画面の一例Ｗ１１を示す画像図（メモ画像を表示オフ、手動切替属性なし）。
【図８】画面Ｗ１１への書込みモード時の画面Ｗ２０を示す画像図。
【図９】表示属性設定時の画面Ｗ２１を示す画像図。
【図１０】メモ表示の初期値を設定するときの画面Ｗ２２を示す画像図。
【図１１】メモ表示動作のうち、初期表示時の動作を示すフローチャート。
【図１２】メモ表示動作のうち、手動切替属性有りの場合の動作を示すフローチャート。
【図１３】メモ表示動作のうち、自動消去属性有りの場合の動作を示すフローチャート。
【図１４】メモ表示動作のうち、自動表示属性有りの場合の動作を示すフローチャート。
【図１５】メモ画像Ｍを表示中、かつ手動切替属性なしのガイド画面Ｗ１２を示す画像図。
【図１６】メモ画像Ｍを表示中、かつ手動切替属性ありのガイド画面Ｗ１３を示す画像図。
【図１７】メモ画像Ｍを非表示、かつ手動切替属性ありのガイド画面Ｗ１４を示す画像図。
【図１８】各表示属性の有り／なし及びメモ表示の初期値の組合せによって得られるメモ表示の挙動を示すテーブル。
【符号の説明】
【００７４】
１        複合機
２        原稿搬送装置
７        操作パネル
７ａ      表示パネル
７ｂ      タッチセンサ
７ｃ      ハードキー群
７２      タッチペン
９１      ＣＰＵ
【図１】
2009267500.tif 000003
【図２】
2009267500.tif 000004
【図３】
2009267500.tif 000005
【図４】
2009267500.tif 000006
【図５】
2009267500.tif 000007
【図６】
2009267500.tif 000008
【図７】
2009267500.tif 000009
【図８】
2009267500.tif 000010
【図９】
2009267500.tif 000011
【図１０】
2009267500.tif 000012
【図１１】
2009267500.tif 000013
【図１２】
2009267500.tif 000014
【図１３】
2009267500.tif 000015
【図１４】
2009267500.tif 000016
【図１５】
2009267500.tif 000017
【図１６】
2009267500.tif 000018
【図１７】
2009267500.tif 000019
【図１８】
2009267500.tif 000020